(57)【要約】データ搬送装置（１）あるいは集積回路（５）において、エネルギー供給が信号に依存しない第１の信号処理回路（８）が、第１の通信プロトコルに基づく信号列（ＳＦ１）を処理するために設けられており、エネルギー供給が信号に依存する第２の信号処理回路が、第２の通信プロトコルに基づく信号列（ＳＦ２）を処理するために設けられており、第２の通信プロトコルに基づく信号列は信号特徴部すなわちアドバンス信号（ＶＬＳ）を含んでおり、検出回路（２５）が設けられており、この検出回路はこのアドバンス信号（ＶＬＳ）を検出するように構成されるとともに、アドバンス信号（ＶＬＳ）の出現が認識された後に、第２の信号処理回路（９）のために設けられたエネルギー源（１４）から第２の信号処理回路（９）へエネルギーが供給されるように働く。
2004538698.tif 000002
【特許請求の範囲】
【請求項１】
集積回路を備えるデータ搬送装置において、
エネルギー供給が信号に依存しない第１の信号処理回路が設けられており、
エネルギー供給が信号に依存する第２の信号処理回路が設けられており、
第１の信号処理回路は第１の通信プロトコルに基づく信号列を受信して処理するように構成されており、
第２の信号処理回路は第２の通信プロトコルに基づく信号列を受信して処理するように構成されており、第２の通信プロトコルに基づく信号列は信号特徴部を含んでおり、
第１の信号処理回路にエネルギーを供給するために第１のエネルギー源が設けられており、
第２の信号処理回路にエネルギーを供給するために第２のエネルギー源が設けられており、
検出手段が設けられており、この検出手段は第２の通信プロトコルに基づく信号列の信号特徴部を検出するように構成されるとともに、信号特徴部の出現が認識された後に、第２の信号処理回路の少なくとも一部に第２のエネルギー源からエネルギーの供給を開始させるように構成されている、データ搬送装置。
【請求項２】
第２の信号処理回路は第２の通信プロトコルに基づく信号列を受信して処理するように構成されており、この信号列の信号特徴部は特定の最低時間をもつアドバンス信号によって形成されており、
検出手段はアドバンス信号を検出するように構成されている、請求項１に記載のデータ搬送装置。
【請求項３】
第２の信号処理回路は第２の通信プロトコルに基づく信号列を受信して処理するように構成されており、信号特徴部を形成するアドバンス信号は変調されていない搬送信号によって形成されており、
検出手段は、アドバンス信号を形成する変調されていない搬送信号を検出するように構成されている、請求項２に記載のデータ搬送装置。
【請求項４】
第１の信号処理回路にも第２の信号処理回路にも属しているデータ処理手段が設けられており、
第１のエネルギー源と前記データ処理手段の間には第１の制御可能な切換手段が設けられており、
第２のエネルギー源と前記データ処理手段の間には第２の制御可能な切換手段が設けられており、
第１の切換手段と第２の切換手段を制御するために制御段が設けられており、
制御段は検出手段と接続されるとともに、信号特徴部の出現が認識された後に第２の制御可能な切換手段がデータ処理手段を第２のエネルギー源と接続する切換状態になるように制御されるように、検出手段によって制御可能である、請求項１に記載のデータ搬送装置。
【請求項５】
集積回路において、
エネルギー供給が信号に依存しない第１の信号処理回路が設けられており、
エネルギー供給が信号に依存する第２の信号処理回路が設けられており、
第１の信号処理回路は第１の通信プロトコルに基づく信号列を受信して処理するように構成されており、
第２の信号処理回路は第２の通信プロトコルに基づく信号列を受信して処理するように構成されており、第２の通信プロトコルに基づく信号列は信号特徴部を含んでおり、
第１の信号処理回路にエネルギーを供給するために第１のエネルギー源が設けられており、
第２の信号処理回路にエネルギーを供給するために第２のエネルギー源が設けられており、
検出手段が設けられており、この検出手段は第２の通信プロトコルに基づく信号列の信号特徴部を検出するように構成されるとともに、信号特徴部の出現が認識された後に、第２の信号処理回路の少なくとも一部に第２のエネルギー源からエネルギーの供給を開始させるように構成されている、集積回路。
【請求項６】
第２の信号処理回路は第２の通信プロトコルに基づく信号列を受信して処理するように構成されており、この信号列の信号特徴部は特定の最低時間をもつアドバンス信号によって形成されており、
検出手段はアドバンス信号を検出するように構成されている、請求項５に記載の集積回路。
【請求項７】
第２の信号処理回路は第２の通信プロトコルに基づく信号列を受信して処理するように構成されており、信号特徴部を形成するアドバンス信号は変調されていない搬送信号によって形成されており、
検出手段は、アドバンス信号を形成する変調されていない搬送信号を検出するように構成されている、請求項６に記載の集積回路。
【請求項８】
第１の信号処理回路にも第２の信号処理回路にも属しているデータ処理手段が設けられており、
第１のエネルギー源と前記データ処理手段の間には第１の制御可能な切換手段が設けられており、
第２のエネルギー源と前記データ処理手段の間には第２の制御可能な切換手段が設けられており、
第１の切換手段と第２の切換手段を制御するために制御段が設けられており、
制御段は検出手段と接続されるとともに、信号特徴部の出現が認識された後に第２の制御可能な切換手段がデータ処理手段を第２のエネルギー源と接続する切換状態になるように制御されるように、検出手段によって制御可能である、請求項５に記載の集積回路。
【発明の詳細な説明】
【技術分野】
【０００１】
本発明は、集積回路を備えるデータ搬送装置、および集積回路に関するものであり、エネルギー供給が信号に依存しない第１の信号処理回路と、エネルギー供給が信号に依存する第２の信号処理回路とが設けられており、第１の信号処理回路は第１の通信プロトコルに基づく信号列を受信して処理するように構成されており、第２の信号処理回路は第２の通信プロトコルに基づく信号列を受信して処理するように構成されており、第２の通信プロトコルに基づく信号列は信号特徴部を含んでおり、第１の信号処理回路にエネルギーを供給するために第１のエネルギー源が設けられており、第２の信号処理回路にエネルギーを供給するために第２のエネルギー源が設けられている。
【背景技術】
【０００２】
上述された第１パラグラフに記載されている構成に準ずる、集積回路を備えるデータ搬送装置およびこれに伴う集積回路は、多くのバリエーションの施工形態で取引に供されており、したがって公知である。
【０００３】
このようなデータ搬送装置、およびこのような集積回路では、利用目的に応じて、ないしは動作状況に応じて、エネルギーが供給されるべき信号処理回路に対するエネルギー供給の自動的な選択を行う必要がある。なぜなら、たとえばデータ搬送装置ないし集積回路によって、振幅が十分に大きい第２の通信プロトコルに基づく信号列が受信される場合には、第２の通信プロトコルに基づく信号列を受信して処理する第２の信号処理回路に対するエネルギー供給が自動的に保証されなければならず、そのためには、第２の信号処理回路に第２のエネルギー源から自動的にエネルギーを供給することが必要だからである。公知の解決法では、データ搬送装置は、データ搬送装置の領域で生じている受信電界強度を判定するための手段を備えており、データ搬送装置における高い供給電圧を結果として伴う高い受信電界強度の出現が確認されると、第２のエネルギー源から、第２の信号処理回路に対する供給が自動的に行われるようになっている。実際問題として、このような構成は多くのケースで申し分のない動作結果につながることが示されているものの、公知の解決法では満足のいく動作結果が得られない動作ケースもあることが判明している。
【発明の開示】
【発明が解決しようとする課題】
【０００４】
本発明の課題は、前述したような満足のいかない動作ケースを回避し、改良されたデータ搬送装置および改良された集積回路を提供することである。
【課題を解決するための手段】
【０００５】
上述された課題を解決するために、本発明のデータ搬送装置では本発明による構成要件が意図されており、すなわち本発明のデータ搬送装置は、以下に記載されている特徴を備えている：
集積回路を備えるデータ搬送装置において、エネルギー供給が信号に依存しない第１の信号処理回路が設けられており、エネルギー供給が信号に依存する第２の信号処理回路が設けられており、第１の信号処理回路は第１の通信プロトコルに基づく信号列を受信して処理するように構成されており、第２の信号処理回路は第２の通信プロトコルに基づく信号列を受信して処理するように構成されており、第２の通信プロトコルに基づく信号列は信号特徴部を含んでおり、第１の信号処理回路にエネルギーを供給するために第１のエネルギー源が設けられており、第２の信号処理回路にエネルギーを供給するために第２のエネルギー源が設けられており、検出手段が設けられており、この検出手段は第２の通信プロトコルに基づく信号列の信号特徴部を検出するように構成されるとともに、信号特徴部の出現が認識された後に、第２の信号処理回路の少なくとも一部に第２のエネルギー源からエネルギーの供給を開始させるように構成されている。
【０００６】
上述された課題を解決するために、本発明の集積回路では本発明による構成要件が意図されており、すなわち本発明の集積回路は、以下に記載されている特徴を備えている。
【０００７】
集積回路において、エネルギー供給が信号に依存しない第１の信号処理回路が設けられており、エネルギー供給が信号に依存する第２の信号処理回路が設けられており、第１の信号処理回路は第１の通信プロトコルに基づく信号列を受信して処理するように構成されており、第２の信号処理回路は第２の通信プロトコルに基づく信号列を受信して処理するように構成されており、第２の通信プロトコルに基づく信号列は信号特徴部を含んでおり、第１の信号処理回路にエネルギーを供給するために第１のエネルギー源が設けられており、第２の信号処理回路にエネルギーを供給するために第２のエネルギー源が設けられており、検出手段が設けられており、この検出手段は第２の通信プロトコルに基づく信号列の信号特徴部を検出するように構成されるとともに、信号特徴部の出現が認識された後に、第２の信号処理回路の少なくとも一部に第２のエネルギー源からエネルギーの供給を開始させるように構成されている。
【０００８】
本発明の構成要件を意図することにより、簡単なうえに非常に信頼度の高いやり方で、必要な場合には常に、第２のエネルギー源から第２の信号処理回路への一義的な供給が保証される。なぜなら、第２のエネルギー源から第２の信号処理回路へのこのような供給が、第２の通信プロトコルに基づく信号列に含まれている信号特徴部が申し分なく認識された後でのみ行われ、この認識は、通常の動作環境のときには、本発明のデータ搬送装置の領域における受信電界強度に少しも左右されないからである。
【０００９】
本発明によるデータ搬送装置、および本発明による集積回路では、さらに請求項２および３並びに５および６に記載の構成要件が意図されていると、非常に好ましいことが判明している。これらの構成は、格別に一義的かつ確実な、信号特徴部の認識という観点から好ましいことが判明しており、これに加えて、それによって信号特徴部の認識を格別に簡単なやり方で実行可能であることも、有利な点として挙げることができる。ただし、第２の通信プロトコルに基づく信号列の特定のビットコンビネーションによって信号特徴部が形成されている場合もあるが、このような特定のビットコンビネーションが、第１の通信プロトコルに基づく信号列に決して現われないことは確実であることを付言しておく。
【００１０】
本発明によるデータ搬送装置、および本発明による集積回路では、さらに請求項４ないし８に記載の構成要件が意図されていると、非常に好ましいことが判明している。これらの構成要件により、制御可能な２つの切換手段によって、メインエネルギー消費部を構成するデータ処理手段を、２つのエネルギー源から全面的に切り離すことができ、したがって、不要で望ましくないエネルギー消費がすべて阻止されるという利点がある。
【発明を実施するための最良の形態】
【００１１】
以上に述べた本発明の側面、およびその他の側面は以下に説明する実施例から明らかであり、この実施例を参照しながら説明していく。
【００１２】
次に、図面に示されている実施例を参照しながら、本発明について詳しく説明する。ただし本発明は、この実施例に限定されるものではない。
【００１３】
図１にはデータ搬送装置が示されている。このデータ搬送装置１は、通常はいわゆる能動的な動作機能と呼ばれる第１の動作機能と、通常はいわゆる受動的な動作機能と呼ばれる第２の動作機能とを、データ記憶媒体１によって具体化可能であるように構成されている。この両方の動作機能は、特に、いわゆる能動的な動作機能では、データ記憶媒体１に含まれるバッテリから、信号に依存しないエネルギー供給が行われ、いわゆる受動的な動作機能では、そのために設けられたバックアップコンデンサからエネルギー供給が行われることによって区別され、バックアップコンデンサは整流器手段によって充電することができ、この整流器手段は、受信した信号を整流するために設けられている。以下、この点についてさらに立入って詳しく説明する。
【００１４】
このようなデータ搬送装置１では、データ搬送装置１に含まれるバッテリにできるだけ少ない負担がかかるようにすること、つまり、できるだけ少ないエネルギー消費を実現してバッテリの耐用寿命をできるだけ長くすることに、大きな意義がある。
【００１５】
データ搬送装置１は、伝送コイル３と、伝送コイル３と並列につながれたコンデンサ４とで構成される伝送手段２を含んでいる。伝送コイル３とコンデンサ４は１つの並列振動回路を形成しており、その共振周波数ｆ０は搬送信号の周波数に少なくとも実質的に一致しており、この搬送信号により、図１には図示しない通信ステーションから、図１のデータ搬送装置への信号伝送ないしデータ伝送を行うことができる。
【００１６】
データ搬送装置１は少なくとも１つの集積回路５を含んでいる。集積回路５は２つの接続部６および７を有しており、伝送コイル３とコンデンサ４がこれらの接続部と接続されている。ここで付言しておくと、コンデンサ４は必ずしも集積回路５に対して外部のコンデンサによって構成されている必要はなく、集積回路５の中で具体化された内部コンデンサによって構成されていてもよい。
【００１７】
集積回路５には、エネルギー供給が信号に依存しない第１の信号処理回路８が設けられている。さらに集積回路５には、エネルギー供給が信号に依存する第２の信号処理回路９が設けられている。
【００１８】
第１の信号処理回路８は、第１の動作機能を具体化するために設けられており、第１の通信プロトコルに基づく信号列ＳＦ１を受信して処理するように構成されている。第１の信号列ＳＦ１に関しては、信号列ＳＦ１の一部が模式的に図示されている図２を参照されたい。この信号列ＳＦ１は、前述した搬送信号がマンチェスターコードに準じて符号化されているマンチェスターコーディング信号であってよい。このようなマンチェスターコーティング信号では、所定の時間よりも長く続く、すなわち２５６マイクロ秒（２５６μｓｅｃ）よりも長く続く信号状態が、信号内での切換なしに、つまり変調された搬送信号内での切換なしに、生じることはあり得ない。なぜなら、この搬送信号はたとえば１００％振幅変調（ＡＳＫ）が施されており、マンチェスターコーディングに基づいて、長くとも２５６マイクロ秒後に信号切換が生じなければならないからである。
【００１９】
第２の信号処理装置９は、前述した受動的な動作機能を具体化するために設けられており、第２の通信プロトコルに基づく信号列ＳＦ２を受信して処理するように構成されている。信号列ＳＦ２に関しては、信号列ＳＦ２の一部が模式的に図示されている図３を参照されたい。ここでの関連で信号列ＳＦ２における重要な点は、信号列ＳＦ２では、この信号列ＳＦ２の開始部に信号特徴部が設けられていることであり、この信号特徴部は、特定の最低時間をもついわゆるアドバンス信号ＶＬＳであり、信号特徴部を形成するアドバンス信号ＶＬＳは、変調されていない搬送信号により形成されている。本例ではアドバンス信号ＶＬＳは、２マイクロ秒（２．０ｍｓｅｃ）よりも長い最低時間に及んでおり、その様子は図３に示されている。アドバンス信号ＶＬＳが本例で必要である理由は、受動的な動作機能のときに、本来の通信プロセスに先立って、通信プロセスの実行に欠かせない、そのために必要な回路部分に供給されるべき供給電圧ＶＤＤを生成することが必要だからである。供給電圧ＶＤＤの生成を簡単なやり方で保証するために、アドバンス信号ＶＬＳが利用される。
【００２０】
エネルギー供給が信号に依存しない第１の信号処理回路８は、第１の信号処理回路８にエネルギーを供給するための第１のエネルギー源１０を含んでおり、第１のエネルギー源８はバッテリ１０によって構成されている。
【００２１】
第１の信号処理回路８は、集積回路５の接続部６および７と接続された別の受信信号処理手段１１を含んでいる。受信信号処理手段１１は、公知のやり方で、伝送手段２によって受信された信号を復調する手段と、復調された信号をデコーディングする手段と、能動的な動作機能のときにデータ記憶媒体１で受信される第１のデータＤＡ１が含まれた第１のデータ信号ＤＳ１を発する手段とを含んでいる。さらに受信信号処理手段１１はウェークアップ信号生成段１２を含んでおり、このウェークアップ信号生成段により、第１の通信プロトコルに基づく信号列ＳＦ１の受信が確認された後に、ウェークアップ信号ＷＵＰを生成可能である。
【００２２】
第２の信号処理回路９は、本例ではブリッジ整流器の形式で構成された整流器手段１３を含んでいる。整流器手段１３は、集積回路５の接続部６および７と接続されている。整流器手段１３は、すでに述べた供給電圧ＶＤＤを生成するために設けられている。整流器手段１３には、第２の信号処理回路９にエネルギーを供給するための第２のエネルギー源として設けられたバックアップコンデンサ１４が後置されている。
【００２３】
第２の信号処理回路９は、さらに、同じく集積回路５の接続部６および７と接続され、再生されたクロック信号ＣＬＫを生成して発するように意図、構成されたクロック信号再生段１５を含んでいる。再生されたクロック信号ＣＬＫは、第２の信号処理回路９の回路構成要素の一部に供給されるが、これは平均的な当業者にとっては以前から公知の方策であるので、この点についてここでは詳しくは立入って説明はしない。
【００２４】
第２の信号処理回路９は、さらに、同じく集積回路５の接続部６および７に接続され、伝送手段２で受信された信号の復調をするように意図、構成された復調段１６を含んでいる。この復調段１６には、復調された信号のデコーディングをするように意図、構成されたデコーディング段１７が後置されている。デコーティング段１７は、受動的な動作機能のときにデータ搬送装置１で受信される第２のデータＤＡ２が含まれる第２のデータ信号ＤＳ２を供給する。
【００２５】
集積回路５には、本例ではマイクロコンピュータによって構成される別のデータ処理手段１８が設けられている。あるいはデータ処理手段１８は、ハードワイヤード論理回路で構成されていてもよい。データ処理手段１８は、第１の入力部１９と第２の入力部２０を有している。第１の入力部１９には、第１のデータＤＡ１を含んでいる第１のデータ信号ＤＳ１を供給可能である。第２の入力部２０には、第２のデータＤＡ２を含んでいる第２のデータ信号ＤＳ２を供給可能である。データ処理手段１８により、供給される第１のデータＤＡ１ないし第２のデータＤＡ２の処理を実行することができ、これは、データ搬送装置１が能動的な動作機能を具体化するように活動化されているか、それとも受動的な動作機能を具体化するように活動化されているかに依存して決まる。データ処理手段１８は、第１の信号処理回路８にも第２の信号処理回路９にも属している。
【００２６】
データ処理手段１８は、さらに、第１の出力部２１と第２の出力部２２を有しており、これらの出力部には、活動化されている動作機能に応じて、データ処理手段１８で処理されたデータが送られ、このデータは配線２３、２４を介して図示しない回路部分に供給可能であり、この回路部分は、供給されるデータないし供給されるデータ信号を処理するように構成されており、この回路部分によって、最終的に送信されるべき信号を生成可能であり、この送信されるべき信号は伝送手段２によって、図示しない通信ステーションへと伝送可能である。
【００２７】
集積回路５には、すなわち集積回路５を含んでいるデータ搬送装置１には、検出手段２５が設けられるのが好ましい。検出手段２５は、第２の通信プロトコルに基づく信号列ＳＦ２の信号特徴部ＶＬＳを検出するように構成されており、つまりアドバンス信号ＶＬＳを検出するように構成されており、これは換言すれば、本例では検出手段２５が、アドバンス信号ＶＬＳを形成する変調されていない搬送信号を検出するように構成されることを意味している。さらにデータ搬送装置１では、検出手段２５の回路構造は、検出手段２５が、信号特徴部ＶＬＳすなわちアドバンス信号ＶＬＳの出現を認識した後に、第２の信号処理回路の一部に、すなわち本例ではデータ処理手段１８に、第２のエネルギー源１４からのエネルギーの供給を開始させように構成されるように選択されている。
【００２８】
検出手段２５には、第１の入力部２６では再生されたクロック信号ＣＬＫが供給され、第２の入力部２７では、デコーダ段１７から送られる第２のデータ信号ＤＳ２が供給される。さらに検出手段２５には、第３の入力部２８に供給電圧ＶＤＤが供給される。再生されたクロック信号ＣＬＫは、第２のデータ信号ＤＳ２に出現するアドバンス信号ＶＬＳの時間を簡単なやり方で検出できるようにするために、検出手段２５で参照時間としての役目を果たす。検出手段２５に供給電圧ＶＤＤが供給されることにより、検出手段２５へのエネルギー供給が実現されるばかりでなく、これに加えて、十分に高い供給電圧ＶＤＤが存在している場合にのみ検出手段２５が検出機能を果たせるようになり、これは換言すれば、振幅が十分に大きいアドバンス信号ＶＬＳの場合に限って、アドバンス信号ＶＬＳの最低時間の検出が行われることを意味している。この最低時間は、アドバンス信号ＶＬＳの実際の時間よりも短くなっているが、このことが必要である理由は、アドバンス信号ＶＬＳの先頭部（ＳＴＡＲＴ）の直後に、バックアップコンデンサ１４で最初に供給電圧ＶＤＤの生成が行われ、この供給電圧ＶＤＤの生成は、検出手段２５による検出を実行できるようになる前に経過させなければならない一定の時間を必要とするからである。このように検出手段２５によって、アドバンス信号ＶＬＳとして受信された変調されていない搬送信号が十分に大きい振幅で存在しているかどうかの検出と、本例では２ミリ秒（２．０ｍｓｅｃ）以上である最低時間のあいだ出現しているかどうかの検出が行われる。検出手段２５によってこのような事実情況が確認されれば、それは第２の通信プロトコルに基づく信号列ＳＦ２のアドバンス信号ＶＬＳに違いないので、引き続いて、第２の通信プロトコルに基づく信号列ＳＦ２を処理できるようにするために、第２の信号処理回路９の全体を活動化させなければならず、すなわち、供給電圧ＶＤＤを供給しなければならない。
【００２９】
以上に説明した動作状況を可能にするために、データ搬送装置１では次のような回路上の解決策が意図されている。
【００３０】
第１のエネルギー源１０、すなわちバッテリ１０と、データ処理手段１８との間、特に供給入力部１８Ｖとの間には、第１の制御可能な切換手段２９が設けられている。第２のエネルギー源１４、すなわちバックアップコンデンサ１４と、データ処理手段１８との間、特にデータ処理手段１８の供給入力部１８Ｖとの間には、第２の制御可能な切換手段３０が設けられている。さらに、第１の切換手段２９と第２の切換手段３０を制御するために、制御段３１が設けられている。
【００３１】
制御段３１は、第１の入力部３２と、第２の入力部３３と、第３の入力部３４と、第４の入力部３５を有するとともに、第１の出力部３６と第２の出力部３７とを有している。第１の入力部３２には、第１のエネルギー源１０から送られる供給電圧ＶＢＡＴが恒常的に印加されている。第２の入力部３３には、整流器手段１３で生成される供給電圧ＶＤＤが印加され、制御段３１への供給電圧ＶＤＤの供給は、制御段３１に電圧供給をする役目を果たすだけでなく、これに加えて、供給電圧ＶＤＤがそもそも存在しており、つまり伝送手段２によって振幅が十分に大きい信号が受信されており、したがって振幅が十分に大きいアドバンス信号ＶＬＳも存在しているはずであるという事実に関する情報としての役目も果たす。
【００３２】
制御段３１の第３の入力部３４にはウェークアップ信号ＷＵＰを供給可能であり、それにより、制御段３１のウェークアップ信号ＷＵＰによって、受信信号処理手段１１で第１の通信プロトコルに基づく信号列ＳＦ１が受信されていることを通知可能である。制御段３１にウェークアップ信号ＷＵＰが供給されていれば、このことは、制御段３１がその２つの出力部３６および３７を介して、このような制御信号ないし制御情報を第１の切換手段２９および第２の切換手段３０に送り、第１の切換手段２９が導電をする切換状態になるように制御され、第２の切換手段３０は導電をしない切換状態になるように制御されるという結果につながり、その結果として、この場合にはデータ処理手段１８に第１のエネルギー源から供給電圧ＶＢＡＴが供給され、したがってエネルギーが供給されることになる。
【００３３】
制御段３１の第４の入力部を介して、制御段３１は検出手段２５とつながれている。検出手段２５が、第２の通信プロトコルに基づく信号列ＳＦ２に信号特徴部ＶＬＳの出現を認識すると、すなわちアドバンス信号ＶＬＳの出現を認識すると、検出手段２５は制御信号ＣＳを発し、この制御信号ＣＳは制御段３１の第４の入力部３５に供給される。この制御信号ＣＳによって、アドバンス信号ＶＬＳの出現の認識後に第２の切換手段３０が、データ処理手段１８を第２のエネルギー源１４とつなぐ導電の切換状態になるように制御されるように、制御段３１を検出手段２５によって制御可能であり、このとき第１の切換手段２９は非導通の切換状態になるように制御される。それにより、このような動作状況では、データ処理手段１８がその供給入力部１８Ｖを介して、および第２の切換手段２８を介して、第２のエネルギー源すなわちバックアップコンデンサ１４から供給電圧ＶＤＤの供給を受け、したがってエネルギーの供給を受けることになる。
【００３４】
データ搬送装置１が、能動的な動作機能も受動的な動作機能も活動化されていない休止状態にあるとき、制御段３１は、第１の切換手段２９と第２の切換手段３０がいずれも非導通の切換状態になるように制御されるように働き、それによってこの場合には、データ処理手段１８が第２のエネルギー源１０および１４から全面的に切り離され、したがって一切の不要なエネルギー消費が確実に回避される。
【００３５】
上記にて説明した図１のデータ搬送装置１では、第１の制御可能な切換手段２９および第２の制御可能な切換手段３０によって、データ処理手段１８すなわちマイクロコンピュータ１８への電圧供給だけが切り換えられ、しかも、そのつど所望の動作機能に応じて、すなわち能動的な動作機能を実行したいか受動的な動作機能を実行したいかに応じて切り換えられる。付言しておくと、データ搬送装置のマイクロコンピュータへのエネルギー供給を切り換えるだけでなく、マイクロコンピュータに加えて、またはこのようなマイクロコンピュータの代わりに設けられるハードワイヤード論理回路に加えて、さらに別の回路部分を、そのために設けられる制御可能な切換手段を介して、バッテリから送られる供給電圧ＶＢＡＴか、またはバックアップコンデンサから送られる供給電圧ＶＤＤかの、いずれかにつなげるようにすることも可能である。
【００３６】
また、第１の通信プロトコルに基づく信号列を処理するための、エネルギー供給が信号に依存しない第１の信号処理回路と、第２の通信プロトコルに基づく信号列を処理するための、エネルギー供給が信号に依存する第２の信号処理回路とが回路上互いに全面的に切り離されているような、集積回路の構成を具体化することもできる。このとき、場合によっては、そのつど必要な供給電圧ＶＢＡＴまたはＶＤＤを、該当する信号処理回路へつなぐ作業は、実質的に、信号処理回路全体について行われる。
【図面の簡単な説明】
【００３７】
【図１】本発明の実施例に基づくデータ搬送装置をブロック図の形で示す模式図である。
【図２】第１の通信プロトコルに基づく信号列の一部の時間グラフであり、この部分は信号列の開始部に現われている。
【図３】第２の通信プロトコルに基づく信号列の一部の時間グラフであり、この部分は信号列の開始部に現われている。
【図２】
2004538698.tif 000003
【図３】
2004538698.tif 000004
【国際公開パンフレット】
2004538698.tif 000005
2004538698.tif 000006
2004538698.tif 000007
2004538698.tif 000008
2004538698.tif 000009
2004538698.tif 000010
2004538698.tif 000011
2004538698.tif 000012
2004538698.tif 000013
2004538698.tif 000014
2004538698.tif 000015
2004538698.tif 000016
2004538698.tif 000017
2004538698.tif 000018
2004538698.tif 000019
2004538698.tif 000020
2004538698.tif 000021
2004538698.tif 000022
2004538698.tif 000023
【国際調査報告】
2004538698.tif 000024
2004538698.tif 000025
2004538698.tif 000026
2004538698.tif 000027